(57)【要約】      （修正有）【課題】選手の序走々行や相手選手との打ち込み組手取りを争う足踏み走行の選手両足土踏まず面とシューズ内底面との間の走行加圧空気圧を集積・貯圧して、今だと思う瞬間に瞬発利用するようにしたシューズとシューズの内に履くソックスとの組合せ構造を提供する。【解決手段】選手両足の土踏まず面とシューズ内底面との間の間隔加圧の減少に応じての筋肉加圧袋４内の空気圧力低下に伴い排気弁Ｂは閉じ吸気弁Ｃが開いて該袋４内に外気を吸入する。また選手両足土踏まず面・シューズ内底面間の間隔加圧増大に応じての該袋４内の空気圧力上昇に伴い吸気弁Ｃは閉じ排気弁Ｂが開いて貯圧袋３内への圧力空気の集積・貯圧が行われるようにシューズとソックスとの組み合わせ構造を形成する。【選択図】図１
0003170318.tif 000002
【実用新案登録請求の範囲】
【請求項１】
選手のシューズ（１）内に履くソックス（２）は、選手の足指先のソックス（２）の外周に接着剤連結し、反転してシューズ（１）先端のメッシュ構造（７）内を満たす貯圧袋（３）を有し、貯圧袋（３）は後端部下面に選手の両足土踏まず面に沿うよう設けた土踏まず部筋肉伸縮加圧袋（４）の先端部を接着剤連結し、その連結部分に筋肉伸縮加圧袋（４）内より貯圧袋（３）内への排気弁（Ｂ）を有し、また筋肉伸縮加圧袋（４）後端部よりシューズ（１）内を通りソックス（２）外周に沿い延長される延長パイプ（５）の先端部に吸気弁（Ｃ）を有し、更に貯圧袋（３）内の選手両足親指付近の内周面に夫々排気孔（６）中心部に圧力空気調節突部（８）を有する拍手弁（Ａ）を装着してなるソックス（２）の構造。
【請求項２】
「請求項１」記載のソックス（２）を履く選手のシューズ（１）は、先端部にメッシュ構造部分（７）を有して貯圧袋（３）を収納するシューズ（１）とソックス（２）との組み合わせ構造。
【考案の詳細な説明】
【技術分野】
【０００１】  本考案は、選手の序走々行や相手選手との打ち込み組手取りを争う足踏み走行の選手両足土踏まず面とシューズ内底面との間の走行加圧空気圧を集積・貯圧して、今だと思う瞬間に瞬発利用するようにしたものである。
【背景技術】
【０００２】  スポーツ用具や防護用具には多種多様の緩衝体用球形体が使用されているもものゝ、いずれもその空気圧の充填を専用器具や人為的に行うもので、考案の如く走行運動だけによる無作為充填例は極めて稀である。
【考案の開示】
【考案が解決しようとする課題】
【０００３】  選手の序走路走行や相手選手との打ち込み・組手取りを争う足踏み走行の走行運動だけによる選手両足土踏まず面とシューズ内底面との間の激しく変化する圧力空気圧変化を、いかにす早く正確に把握・集積・貯圧・利用するかの課題に遭遇する。
【課題を解決するための手段】
【０００４】  そこで本考案は、選手のシューズ先端部にメッシュ構造部を設け、また選手がシューズ内に履くソックスに選手両足指先のソックス外周に接着剤連結し、反転してシューズ先端部のメッシュ構造部内を満たす貯圧袋を設け、更その貯圧袋の後端部下面に選手両足土踏まず面ソックスに沿い踵部近くでソックス下面に沿いのびして接着剤止めした土踏まず部筋肉伸縮加圧袋を設けたシューズとソックスとの組み合わせ構造で対応するものである。
【考案を実施するための最良の形態】
【０００５】  考案構造を図１図２につき詳述すると、シューズ１は先端部にメッシュ構造部７を有し、ソックス２先端の貯圧袋３を収納しているが、メッシュ構造ゆえにシューズ１内でソックス２先端の貯圧袋３の装着を引っ張り手助け確認できる効果があり、またメッシュ構造７ゆえに選手が踏板・踏切床に全体重と速度の積に貯圧袋３内の圧力空気圧の瞬間圧縮・瞬間反発膨張力をプラスしたより高くより遠くへを実現できる効果がある。またメッシュ構造７は、砂場競技で砂の侵入を受けるデメリットもあるが、これも専用ブラシ一本で奥の奥まで清掃でき、それよりもシューズ１内全体の清掃・乾燥・防湿・防臭できる効果がある。【０００６】  こゝで上記の貯圧袋３も勿論厚手の軟質プラスチック材よりなるが、次に筋肉伸縮加圧袋４は短冊巾程度の弾力性に富む軟質プラスチック偏平パイプ材よりなり、選手の走行運動に応じて両足土踏まず面とシューズ１内底面との間隔圧力が減少すると、同袋４の偏平厚みの拡大に伴う内部圧力の減少で排気弁Ｂは閉じ吸気弁Ｃが開いて外気を吸入し、また選手の走行運動に応じて土踏まず底面シューズ１内底面間の間隔圧力が増大すると、同袋４内の内部圧力の増加に伴い吸気弁Ｃは閉じ排気弁Ｂを開いて同袋４内の圧力空気を貯圧袋３内に送る序走・足踏み走行運動だけによる把握・集積・貯圧・利用のシューズ１とソックス２との組み合わせ構造。
【図面の簡単な説明】
【０００７】
【図１】本考案のシューズとソックスの組み合わせ側面断面図である。
【図２】同上の拍手弁の正面及び側面断面図である。
【符号の説明】
【０００８】１  シューズ
２  ソックス
３  貯圧袋
４  筋肉伸縮加圧袋
７  メッシュ構造
８  圧力空気調節突部
Ａ  拍手弁
Ｂ  排気弁
Ｃ  吸気弁
【図１】
0003170318.tif 000003
【図２】
0003170318.tif 000004
【手続補正書】
【提出日】平成23年4月11日(2011.4.11)
【手続補正１】
【補正対象書類名】明細書
【補正対象項目名】０００４
【補正方法】変更
【補正の内容】
【０００４】      そこで本考案は、選手のシューズ先端部にメッシュ構造部を設け、また選手がシューズ内に履くソックスに選手両足指先のソックス外周に接着剤連結し、反転してシューズ先端部のメッシュ構造部内を満たす貯圧袋を設け、更にその貯圧袋の後端部下面に選手両足土踏まず面ソックスに沿い踵近くまでソックス下面に沿いのびした土踏まず部筋肉伸縮加圧袋を設けたシューズとソックスとの組み合わせ構造で対応するものである。
【手続補正２】
【補正対象書類名】明細書
【補正対象項目名】０００５
【補正方法】変更
【補正の内容】
【０００５】      考案構造を図１図２につき詳述すると、シューズ１は先端部にメッシュ構造部７を有し、ソックス２先端部の貯圧袋３を収納しているがメッシュ構造ゆえにシューズ１内でソックス２先端の貯圧袋３の装着を引っ張り手助け確認できる効果があり、またメッシュ構造７ゆえに選手が踏切板・踏切床に全体重と速度の積に貯圧袋３内の圧力空気圧の瞬間圧縮・瞬間反発膨張力をプラスしたより高くより遠くへの跳び上り跳び出しできる効果がある。またメッシュ構造７は、砂場競技で砂の侵入を受けるデメリットもあるが、それも専用のブラシ１本で奥の方まで清掃でき、それよりもシューズ１内全体の清掃・乾燥・防湿・防臭できる多大な効果がある。
【手続補正３】
【補正対象書類名】明細書
【補正対象項目名】０００６
【補正方法】変更
【補正の内容】
【０００６】      こゝで上記の貯圧袋３も勿論厚手の軟質プラスチック材よりなるが、次に筋肉伸縮加圧袋４は短冊巾から選手土踏まず面巾程度の弾力性に富む軟質プラスチック偏平パイプ材よりなり、選手の走行運動に応じて両足土踏まず面とシューズ１内底面との間隔圧力が減少すると、同袋４の偏平厚みの急速な拡大に伴う内部圧力の減少で排気弁Ｂは閉じ吸気弁Ｃが開いて急速に外気を吸入し、また選手の走行運動に応じて土踏まず面シューズ１内底面間の間隔圧力が増大すると、同袋４内の急速な内部圧力の増加に伴い吸気弁Ｃは閉じ排気弁Ｂを開いて、同袋４内の圧力空気を急速に貯圧袋３に送り出す選手の序走・足踏み走行だけによる圧力空気圧の増大で競技レベルの向上を図るようにしたシューズ１とソックス２との組み合わせ構造である。なお拍手弁Ａは、選手が競技途中にも圧力空気調節突部８を両足拍手打ちして貯圧袋３内空気圧残量を調節するものである。
【手続補正書】
【提出日】平成23年6月23日(2011.6.23)
【手続補正１】
【補正対象書類名】実用新案登録請求の範囲
【補正対象項目名】全文
【補正方法】変更
【補正の内容】
【実用新案登録請求の範囲】
【請求項１】
選手のシューズ（１）内に履くソックス（２）は、選手の足指先のソックス（２）の外周に接着剤連結し、反転してシューズ（１）先端のメッシュ構造（７）内を満たす貯圧袋（３）を有し、貯圧袋（３）は後端部下面に選手の両足土踏まず面に沿うよう設けた土踏まず部筋肉伸縮加圧袋（４）の先端部を接着剤連結し、その連結部分に筋肉伸縮加圧袋（４）内より貯圧袋（３）内への排気弁（Ｂ）を有し、また筋肉伸縮加圧袋（４）後端部よりシューズ（１）内を通りソックス（２）外周に沿い延長される延長パイプ（５）の先端部に吸気弁（Ｃ）を有し、更に貯圧袋（３）内の選手両足親指付近の内周面に夫々排気孔（６）中心部に圧力空気調節突部（８）を有する拍手弁（Ａ）を装着してなるソックス（２）。
【請求項２】
請求項１記載のソックス（２）と、先端部に貯圧袋を収納するためのメッシュ構造部分（７）を有して貯圧袋（３）を収納するシューズ（１）とソックス（２）との組み合わせ構造。